(57)【特許請求の範囲】
【請求項１】
用紙搬送路に沿って搬送された用紙の上流側余白部及び／又は下流側余白部を裁断する横方向の裁断手段と、
前記横方向の裁断手段の上流側に配置されて前記用紙を前記用紙搬送路に沿って搬送する上流側用紙搬送手段と、
前記横方向の裁断手段の下流側に配置されて前記用紙を前記用紙搬送路に沿って搬送する下流側用紙搬送手段と、
前記横方向の裁断手段と前記上流側用紙搬送手段と前記下流側用紙搬送手段との動作を制御する制御手段と、を備える用紙加工装置であって、
前記上流側用紙搬送手段と前記横方向の裁断手段との間の用紙搬送方向の上流側離間距離及び／又は前記下流側用紙搬送手段と前記横方向の裁断手段との間の用紙搬送方向の下流側離間距離が、可変であるように構成されていることを特徴とする用紙加工装置。
【請求項２】
前記横方向の裁断手段及び／又は前記上流側用紙搬送手段及び／又は前記下流側用紙搬送手段が、前記用紙搬送方向に沿ってスライド移動するように構成されていることを特徴とする、請求項１に記載の用紙加工装置。
【請求項３】
前記上流側離間距離及び前記下流側離間距離を可変にするための駆動源が、モーターであることを特徴とする、請求項１又は２に記載の用紙加工装置。
【請求項４】
前記上流側離間距離及び前記下流側離間距離が、裁断すべき寸法に応じて自動的に変化することを特徴とする、請求項１乃至３のいずれか一つに記載の用紙加工装置。
【請求項５】
前記横方向の裁断手段及び／又は前記上流側用紙搬送手段及び／又は前記下流側用紙搬送手段が、複数の裁断手段用着脱位置、複数の上流側用紙搬送手段用着脱位置及び複数の下流側用紙搬送手段用着脱位置のそれぞれに対して着脱可能に構成されていることを特徴とする、請求項１に記載の用紙加工装置。
【請求項６】
前記横方向の裁断手段が装置本体に固定されており、
最も上流側に位置する最上流側用紙搬送手段及び／又は最も下流側に位置する最下流側用紙搬送手段が装置本体に固定されており、
前記最上流側用紙搬送手段と前記横方向の裁断手段との間に及び／又は前記最下流側用紙搬送手段と前記横方向の裁断手段との間に、それぞれ、非最上流側用紙搬送手段及び／又は非最下流側用紙搬送手段が着脱可能なように構成されていることを特徴とする、請求項１に記載の用紙加工装置。
【請求項７】
前記制御手段は、前記横方向の裁断手段で前記用紙を裁断した後に前記横方向の裁断手段を閉鎖状態を保持することにより前記用紙搬送路を遮断した上で、前記上流側用紙搬送手段及び／又は前記下流側用紙搬送手段が、前記裁断された用紙の裁断片を前記横方向の裁断手段に向けて搬送するように制御することを特徴とする、請求項１に記載の用紙加工装置。
【請求項８】
前記横方向の裁断手段は、上刃及び下刃によって構成されて、
前記上刃の刃先及び前記下刃の刃先は、それぞれ、摺接面と傾斜面と非摺接面とによって先細の楔形状をしており、
前記上刃の傾斜面が下流側の下向きに面するように構成されていることを特徴とする、請求項７に記載の用紙加工装置。
【請求項９】
用紙搬送路に沿って搬送された用紙の上流側余白部及び／又は下流側余白部を裁断する横方向の裁断手段と、
前記横方向の裁断手段の上流側に配置されて前記用紙を前記用紙搬送路に沿って搬送する上流側用紙搬送手段と、
前記横方向の裁断手段の下流側に配置されて前記用紙を前記用紙搬送路に沿って搬送する下流側用紙搬送手段と、
前記横方向の裁断手段と前記上流側用紙搬送手段と前記下流側用紙搬送手段との動作を制御する制御手段と、を備える用紙加工装置であって、
前記制御手段は、前記横方向の裁断手段で前記用紙を裁断した後に前記横方向の裁断手段を閉鎖状態を保持することにより前記用紙搬送路を遮断した上で、前記上流側用紙搬送手段及び／又は前記下流側用紙搬送手段が、前記裁断された用紙の裁断片を前記横方向の裁断手段に向けて搬送するように制御することを特徴とする用紙加工装置。
【請求項１０】
前記横方向の裁断手段は、上刃及び下刃によって構成されて、
前記上刃の刃先及び前記下刃の刃先は、それぞれ、摺接面と傾斜面と非摺接面とによって先細の楔形状をしており、
前記上刃の傾斜面が下流側の下向きに面するように構成されていることを特徴とする、請求項９に記載の用紙加工装置。
【発明の詳細な説明】
【技術分野】
【０００１】
本発明は、一般に、用紙加工装置に関する。本発明は、詳細には、用紙搬送方向の前後に位置する余白部を裁断する横方向の用紙裁断機能を有する用紙加工装置に関する。
【背景技術】
【０００２】
裁断手段によって、用紙搬送方向の前後（すなわち用紙搬送方向の上流側及び下流側）に位置する余白部のそれぞれを搬送方向に対して直交する方向に（すなわち横方向に）裁断することが行われている。従来の用紙加工装置では、上流側搬送ローラ対及び下流側搬送ローラ対が、裁断手段を挟んで搬送方向の上流側及び下流側にそれぞれ配置されている。そして、当該上流側搬送ローラ対及び下流側搬送ローラ対が、用紙加工装置本体に対してそれぞれ固定されている。したがって、上流側搬送ローラ対と裁断手段との間隔及び下流側搬送ローラ対と裁断手段との間隔が一定になっている。
【０００３】
搬送ローラ対及び裁断手段を一定の且つ広い間隔で配置すると、装置全体の用紙搬送方向寸法が長くなる、裁断片を回収するための回収ボックスの設置スペースが大きくなる等の問題がある。このような問題を解決するために、搬送ローラ対及び裁断手段を一定の且つ狭い間隔で配置するとともに、除去すべき余白部を複数の裁断片に分割して細切れに裁断すること（すなわち裁断片の細分化処理）が、特許文献１に開示されている。
【先行技術文献】
【特許文献】
【０００４】
【特許文献１】特開２００１−２３２７００号公報
【発明の概要】
【発明が解決しようとする課題】
【０００５】
搬送ローラ対及び裁断手段を一定の且つ狭い間隔で配置した状態では、搬送方向に幅の狭い余白部に対して、幅の狭い裁断処理を少数回行うことによって対応することができる。しかしながら、搬送ローラ対及び裁断手段を一定の且つ狭い間隔で配置した状態では、搬送方向に幅の広い余白部に対して、幅の狭い裁断処理を多数回行う必要がある。
【０００６】
特許文献１に開示された幅の狭い裁断処理を多数回行う裁断プロセスでは、用紙を搬送する搬送工程、用紙搬送を一時的に停止する停止工程、停止状態で用紙を裁断する裁断工程、及び、裁断後に用紙を搬送する搬送工程を繰り返している。しかしながら、特許文献１の一連の裁断プロセスでは、用紙搬送を一時的に停止する停止工程を必要とするために、裁断処理の回数が多くなるに従って、用紙搬送を停止していたときの停止時間が累積されて、累積停止時間が長くなり、用紙搬送速度の低下、ひいては用紙処理速度の低下を招いているという問題がある。
【０００７】
したがって、本発明の解決すべき技術的課題は、用紙処理速度を高速化することのできる用紙加工装置を提供することである。
【課題を解決するための手段】
【０００８】
上記技術的課題を解決するために、本発明によれば、以下の用紙加工装置が提供される。
【０００９】
すなわち、本発明の請求項１に係る用紙加工装置は、
用紙搬送路に沿って搬送された用紙の上流側余白部及び／又は下流側余白部を裁断する横方向の裁断手段と、
前記横方向の裁断手段の上流側に配置されて前記用紙を前記用紙搬送路に沿って搬送する上流側用紙搬送手段と、
前記横方向の裁断手段の下流側に配置されて前記用紙を前記用紙搬送路に沿って搬送する下流側用紙搬送手段と、
前記横方向の裁断手段と前記上流側用紙搬送手段と前記下流側用紙搬送手段との動作を制御する制御手段と、を備える用紙加工装置であって、
前記上流側用紙搬送手段と前記横方向の裁断手段との間の用紙搬送方向の上流側離間距離及び／又は前記下流側用紙搬送手段と前記横方向の裁断手段との間の用紙搬送方向の下流側離間距離が、可変であるように構成されていることを特徴とする。
【００１０】
本発明の請求項２に係る用紙加工装置では、
前記横方向の裁断手段及び／又は前記上流側用紙搬送手段及び／又は前記下流側用紙搬送手段が、前記用紙搬送方向に沿ってスライド移動するように構成されていることを特徴とする。
【００１１】
本発明の請求項３に係る用紙加工装置では、
前記上流側離間距離及び前記下流側離間距離を可変にするための駆動源が、モーターであることを特徴とする。
【００１２】
本発明の請求項４に係る用紙加工装置では、
前記上流側離間距離及び前記下流側離間距離が、裁断すべき寸法に応じて自動的に変化することを特徴とする。
【００１３】
本発明の請求項５に係る用紙加工装置では、
前記横方向の裁断手段及び／又は前記上流側用紙搬送手段及び／又は前記下流側用紙搬送手段が、複数の裁断手段用着脱位置、複数の上流側用紙搬送手段用着脱位置及び複数の下流側用紙搬送手段用着脱位置のそれぞれに対して着脱可能に構成されていることを特徴とする。
【００１４】
本発明の請求項６に係る用紙加工装置では、
前記横方向の裁断手段が装置本体に固定されており、
最も上流側に位置する最上流側用紙搬送手段及び／又は最も下流側に位置する最下流側用紙搬送手段が装置本体に固定されており、
前記最上流側用紙搬送手段と前記横方向の裁断手段との間に及び／又は前記最下流側用紙搬送手段と前記横方向の裁断手段との間に、それぞれ、非最上流側用紙搬送手段及び／又は非最下流側用紙搬送手段が着脱可能なように構成されていることを特徴とする。
【００１５】
本発明の請求項７に係る用紙加工装置では、
前記制御手段は、前記横方向の裁断手段で前記用紙を裁断した後に前記横方向の裁断手段を閉鎖状態を保持することにより前記用紙搬送路を遮断した上で、前記上流側用紙搬送手段及び／又は前記下流側用紙搬送手段が、前記裁断された用紙の裁断片を前記横方向の裁断手段に向けて搬送するように制御することを特徴とする。
【００１６】
本発明の請求項８に係る用紙加工装置では、
前記横方向の裁断手段は、上刃及び下刃によって構成されて、
前記上刃の刃先及び前記下刃の刃先は、それぞれ、摺接面と傾斜面と非摺接面とによって先細の楔形状をしており、
前記上刃の傾斜面が下流側の下向きに面するように構成されていることを特徴とする。
【００１７】
本発明の請求項９に係る用紙加工装置では、
用紙搬送路に沿って搬送された用紙の上流側余白部及び／又は下流側余白部を裁断する横方向の裁断手段と、
前記横方向の裁断手段の上流側に配置されて前記用紙を前記用紙搬送路に沿って搬送する上流側用紙搬送手段と、
前記横方向の裁断手段の下流側に配置されて前記用紙を前記用紙搬送路に沿って搬送する下流側用紙搬送手段と、
前記横方向の裁断手段と前記上流側用紙搬送手段と前記下流側用紙搬送手段との動作を制御する制御手段と、を備える用紙加工装置であって、
前記制御手段は、前記横方向の裁断手段で前記用紙を裁断した後に前記横方向の裁断手段を閉鎖状態を保持することにより前記用紙搬送路を遮断した上で、前記上流側用紙搬送手段及び／又は前記下流側用紙搬送手段が、前記裁断された用紙の裁断片を前記横方向の裁断手段に向けて搬送するように制御することを特徴とする。
【００１８】
本発明の請求項１０に係る用紙加工装置では、
前記横方向の裁断手段は、上刃及び下刃によって構成されて、
前記上刃の刃先及び前記下刃の刃先は、それぞれ、摺接面と傾斜面と非摺接面とによって先細の楔形状をしており、
前記上刃の傾斜面が下流側の下向きに面するように構成されていることを特徴とする。
【発明の効果】
【００１９】
請求項１に係る本発明では、上流側離間距離及び／又は下流側離間距離を適宜に変化させることができるので、裁断すべき余白部の幅が狭いときには該当する離間距離を狭い方に設定し、裁断すべき余白部の幅が広いときには該当する離間距離を広い方に設定することができる。該当する離間距離の最適化により、少ない裁断回数で用紙裁断を行うことができるので、用紙処理速度を高速化できるという効果を奏する。また、多数回の用紙裁断を行う細分化処理と比較して裁断回数が低減するので、裁断手段の耐久性が向上するという効果を奏する。
【００２０】
請求項２に係る本発明では、流側離間距離及び／又は下流側離間距離を変化させるための一つの方策として、前記横方向の裁断手段及び／又は前記上流側用紙搬送手段及び／又は前記下流側用紙搬送手段が、前記用紙搬送方向に沿ってスライド移動するように構成されている。したがって、請求項２に係る本発明では、裁断すべき余白部の幅寸法に対応した離間距離が連続的に（すなわちアナログ的に）変化し、離間距離設定の自由度が大きくなるという効果を奏する。
【００２１】
請求項３に係る本発明では、電気的制御によって所定の離間距離に設定できるという効果を奏する。
【００２２】
請求項４に係る本発明では、離間距離の設定動作を自動化できるという効果を奏する。
【００２３】
請求項５に係る本発明では、流側離間距離及び／又は下流側離間距離を変化させるための別の方策として、前記横方向の裁断手段及び／又は前記上流側用紙搬送手段及び／又は前記下流側用紙搬送手段が、複数の所定位置に着脱可能に構成されている。したがって、請求項５に係る本発明では、裁断すべき余白部の幅寸法に対応した離間距離が、飛び飛びで離散的に（すなわちデジタル的に）変化し、離間距離の設定が簡素化されるという効果を奏する。
【００２４】
請求項６に係る本発明では、流側離間距離及び／又は下流側離間距離を変化させるためのさらに別の方策として、前記横方向の裁断手段と最上流側用紙搬送手段及び／又は最下流側用紙搬送手段とが装置本体に固定されているとともに、最上流側用紙搬送手段と前記横方向の裁断手段との間に及び／又は前記最下流側用紙搬送手段と前記横方向の裁断手段との間に、それぞれ、非最上流側用紙搬送手段及び／又は非最下流側用紙搬送手段が着脱可能なように構成されている。したがって、請求項６に係る本発明では、幅の広い余白部の裁断に対しては固定された最上流側用紙搬送手段及び／又は最下流側用紙搬送手段が受け持ち、幅の狭い余白部の裁断に対しては着脱可能な非最上流側用紙搬送手段及び／又は非最下流側用紙搬送手段が受け持つので、裁断すべき余白部の幅寸法に対応した離間距離が、飛び飛びで離散的に（すなわちデジタル的に）変化し、離間距離の設定が簡素化されるという効果を奏する。
【００２５】
請求項７に係る本発明では、上流側用紙搬送手段及び／又は下流側用紙搬送手段の配置構成を変更することなく、幅の狭い余白部から幅の広い余白部までの様々な幅寸法を持った余白部の裁断に対応することができる。したがって、請求項７に係る本発明では、用紙処理速度を高速化するための方策が追加されるという効果を奏する。
【００２６】
請求項８に係る本発明では、用紙を裁断する際に上刃の傾斜面が押し下げられることによって、裁断片の上流側の端部が垂れ下がり、横方向の裁断手段に向けて搬送される裁断片が回収容器に向けて落下するので、裁断片の回収が容易になるという効果を奏する。
【００２７】
請求項９に係る本発明では、裁断すべき余白部の幅寸法に応じて上流側用紙搬送手段及び／又は下流側用紙搬送手段の配置構成を変更することなく、幅の狭い余白部から幅の広い余白部までの様々な幅寸法を持った余白部の裁断を高速で行うことができるという効果を奏する。また、多数回の用紙裁断を行う細分化処理と比較して裁断回数が激減するので、裁断手段の耐久性が大幅に向上するという効果を奏する。
【００２８】
請求項１０に係る本発明では、用紙を裁断する際に上刃の傾斜面が押し下げられることによって、裁断片の上流側の端部が垂れ下がり、横方向の裁断手段に向けて搬送される裁断片が回収容器に向けて落下するので、裁断片の回収が容易になるという効果を奏する。
【図面の簡単な説明】
【００２９】
【図１】本発明の一実施形態に係る用紙加工装置の全体構成を模式的に示す縦断面図である。
【図２】図１に示した用紙加工装置のブロック図である。
【図３】本発明の第一実施形態に係る用紙加工装置の要部を説明する模式図である。
【図４】本発明の第二実施形態に係る用紙加工装置の要部を説明する模式図である。
【図５】本発明の第三実施形態に係る用紙加工装置の要部を説明する模式図である。
【図６】本発明の他の実施形態に係る用紙加工装置の裁断プロセスを説明する模式図である。
【発明を実施するための形態】
【００３０】
以下に、本発明の一実施形態に係る用紙加工装置１０の全体構成について、図１及び２を参照しながら詳細に説明する。なお、本願発明において、用紙２が搬送される用紙搬送方向Ｆと並行な方向を「縦方向」（あるいは単に「縦」）と、用紙搬送方向Ｆと直交な方向で且つ用紙面と並行な方向を「横方向」（あるいは単に「横」）と、用紙搬送方向Ｆと直交な方向で且つ用紙面と直交する方向を「高さ方向」と、用紙搬送方向Ｆの給紙側を「上流側」と、用紙搬送方向Ｆの排紙側を「下流側」と、それぞれ記載している。
【００３１】
図１の全体構成図に示すように、用紙加工装置１０は、装置本体１１の用紙搬送路Ｗの最上流側及び最下流側に、給紙トレイ１２及び排紙トレイ１４をそれぞれ備えている。
【００３２】
給紙トレイ１２には、複数枚の用紙２が載置される。用紙２は、用紙の側辺を基準に給紙トレイ１２に載置されており、一枚ずつ搬送されるようになっている。各用紙２は、その中心に配置されて文字や画像等が印刷される印刷部と、印刷部の周囲に配置されて裁断処理される余白部と、を備える。余白部は、用紙搬送方向Ｆの上流側に位置する上流側余白部２ｂと、用紙搬送方向Ｆの下流側に位置する下流側余白部２ａと、を備える。
【００３３】
用紙２の先端部（すなわち下流側）には、不図示のバーコード及びカットマークが印刷されている。バーコードは、カットマークの位置、用紙２を縦方向および横方向に裁断する位置、用紙２の縦方向の全長に関する裁断情報について、予め何通りか設定された標準設定値のどれを選択して用いるか、あるいは、操作パネル１０２から任意に設定された値を用いるかを表示する。カットマークは、縦方向に延在する部分と横方向に延在する部分とがＬ字状に結合した形状をしている。
【００３４】
図１に示すように、装置本体１１内には、給紙トレイ１２に載置された用紙２を１枚ずつ装置本体１１内に送り込む１対の給紙ローラ２０と、用紙２を搬送する７対の搬送ローラ対２１，２２，２３，２４，２５，２６，２７が設けられている。また、用紙搬送路Ｗに沿って適宜位置には、用紙２を検出する４つの用紙検出センサＳ１，Ｓ２，Ｓ３，Ｓ４と、一端２８ａを中心に回動して他端２８ｓによって用紙２の通過を阻止するストッパ２８と、用紙２の先端部に印刷されたバーコードおよびカットマークを撮像するＣＣＤセンサ２９と、装置本体１１に対して着脱可能に構成されて各種の加工処理を行う加工ユニット３０，３２，３４と、用紙２に横方向の折り型を形成する横方向の折り型加工部３６と、用紙２の上流側余白部２ｂ及び／又は下流側余白部２ａを横方向に裁断する横方向の用紙裁断部３８（横方向の裁断手段）とが、それぞれ配置されている。
【００３５】
加工ユニット３０，３２，３４は、要求される加工内容に応じて適宜に設置されるユニットである。すなわち、加工ユニット３０，３２，３４は、用紙２を縦方向に裁断（縦方向のスリット加工）したり、用紙２に縦方向又は横方向のミシン目を入れたり、縦方向に折り型を形成（縦方向のクリース加工）したり、コーナー部分に丸め加工を施したり、あるいは用紙２の搬送力をアップさせるためのローラを追加したりするための着脱可能なユニットである。
【００３６】
例えば、加工ユニット３０，３２，３４の少なくとも一つが用紙２を縦方向に裁断するためのスリット加工ユニットである場合、該スリット加工ユニットは、そのケーシング内に回転上刃（スリッター）及び回転軸と、回転下刃（スリッター）及び回転軸とから構成される左右一対のスリット加工デバイスを有する。各回転軸はスリッターモーター１１４によって回転駆動される。各回転軸によって回転駆動される回転上刃と回転下刃とが摺り合うことによって、用紙２に切断目を入れて用紙２を裁断する。左右移動モーター１２０によって横方向位置決め軸を回転させることによって、ネジの形成された横方向位置決め軸に螺合したスリット加工デバイスを横方向の所定位置に移動させる。なお、左右一対のスリット加工デバイスの横方向の移動及び位置決めは、制御手段としてのＣＰＵ１００によって制御される。
【００３７】
横方向の折り型加工部３６においては、用紙搬送路Ｗに沿って上下に上型（可動型）と下型（固定型）がそれぞれ配置され、折り型モーター１１８によって上型が下降して、用紙２を上型の突起で下型の凹部に押し込み、上型と下型の間に用紙２を挟み、用紙２に断面略半円状の折り型を形成する。
【００３８】
横方向の用紙裁断部３８（横方向の裁断手段）は、用紙搬送路Ｗに沿って上下に配置された上刃（可動刃）３８ａ及び下刃（固定刃）３８ｂを有し、カッターモーター１１０によって上刃３８ａが下降して用紙搬送路Ｗを横断し、用紙２を横方向に裁断する。
【００３９】
図２は、用紙加工装置１０に関する機能ブロック図である。制御手段としてのＣＰＵ（中央処理演算装置）１００は、スタートキーなどの操作部材が配置された操作パネル１０２と、プログラム等を記憶したＲＯＭ（リード・オンリー・メモリ：フラッシュＲＯＭ）１０４と、データを一時的に記憶するＲＡＭ（ランダム・アクセス・メモリ）１０６と、各種の入力デバイスや出力デバイスとを通じて、用紙加工装置１０における各種の演算処理や加工処理や判断動作の制御を行っている。
【００４０】
ＣＰＵ１００に対しては、搬送ローラ対２１，２２，２３，２４，２５，２６，２７を駆動するメインモーター１０８と、横方向の用紙裁断加工部３８の上刃３８ａを昇降させるカッターモーター１１０と、給紙ローラ２０を駆動する給紙モーター１１２と、スリッターを回転駆動するスリッターモーター１１４と、横方向の折り型加工部３６の上型を昇降させる折り型モーター１１８と、スリッターを横方向に移動させる左右移動モーター１２０と、横方向の用紙裁断部３８及び／又は搬送ローラ対２６及び／又は搬送ローラ対２７を用紙搬送方向Ｆの上流側又は下流側に移動させる前後移動モーター１２２とが、それぞれ接続されている。
【００４１】
さらに、ＣＰＵ１００に対しては、横方向の用紙裁断加工部３８の上刃３８ａの基準位置を検出するカッター基準位置スイッチ１２６と、横方向の折り型加工部３６の上型の基準位置を検出する折り型基準位置センサ１２８と、スリッターの基準位置を検出するための左右移動基準位置センサ１３０と、横方向の用紙裁断部３８及び／又は搬送ローラ対２６及び／又は搬送ローラ対２７の用紙搬送方向Ｆの基準位置を検出するための前後移動基準位置センサ１３２と、用紙２のカットマークおよびバーコードを撮像するＣＣＤセンサ２９と、用紙２の通過を検出する透過センサＳ１，Ｓ２，Ｓ３，Ｓ４と、がそれぞれ接続されている。
【００４２】
なお、メインモーター１０８、給紙モーター１１２、左右移動モーター１２０、前後移動モーター１２２には、用紙２の搬送位置の制御、スリッターや横方向の用紙裁断部３８及び／又は搬送ローラ対２６，２７の位置の制御を容易に行えるように、それぞれ、ステッピングモーターを用いている。
【００４３】
次に、用紙裁断装置１０に関する概略の動作を説明する。なお、一例として、加工ユニット３０が第一のスリット加工ユニットであり、加工ユニット３２が他の位置にスリット加工を施す第二のスリット加工ユニットであり、加工ユニット３４が縦方向のミシン目加工ユニットであるとして説明する。
【００４４】
まず、給紙トレイ１２上に置かれた複数枚の用紙２の中から、一枚の用紙２をピックアップし、該用紙２を給紙ローラ２０の回転によって用紙搬送路Ｗに給紙する。給紙された用紙２は、ストッパ２８に突き当たるまで搬送される。このとき、ストッパ２８は、図１において反時計方向に回動し、その第１片２８ｓが用紙搬送経路Ｗと略直角となる一旦停止位置にある。
【００４５】
そして、用紙２の先端が搬送ローラ対２１の接線に当接すると、やや時間をおいて、給紙ローラ２０は回転を一旦停止する。これにより、用紙２の先端側にたわみが形成され、用紙２の先端全体が搬送ローラ対２１の接線に当接し、用紙２の先端は用紙搬送方向Ｆに対して直角方向となるように揃えられる。
【００４６】
給紙ローラ２０が回転を再開するのと同時に、メインモーター１０８が回転を開始し、すべての搬送ローラ対２１，２２，２３，２４，２５，２６，２７を回転駆動する。用紙２の先端が搬送ローラ対２１に食い込み挟持されると、給紙ローラ２０の回転を停止する。
【００４７】
用紙２の先端を検出センサＳ２で検出するまで、用紙２は低速で搬送される。用紙２の先端を検出したら、バーコードの位置までさらに搬送して停止し、ＣＣＤセンサ２９で、用紙２のカットマーク及びバーコードを撮像し、データを読み込む。ＣＣＤセンサ２９の撮像データに基づいて、用紙２の搬送基準となる側辺からカットマークの端部までの距離を算出し、用紙２の基準位置からのずれを算出し、このずれに応じて、第一の及び第二のスリット加工ユニットの各スリッターの横方向位置を調整し、各スリッターを所定位置まで移動させる。
【００４８】
各スリッターを所定位置まで移動させた後、用紙２を通常速度で搬送する。用紙２が第一のスリット加工ユニット３０のスリッターを通過することにより、該スリッターが用紙２を縦方向に裁断する。用紙２をさらに搬送させて、用紙２が第二のスリット加工ユニット３２のスリッターを通過することにより、該スリッターが用紙２を縦方向に裁断する。また、用紙２をさらに搬送させて、用紙２が縦方向のミシン目加工ユニット３４のミシン目加工刃を通過することにより、用紙２にミシン目を形成する。
【００４９】
検出センサＳ３で用紙２の先端を検出した後、検出センサＳ３から用紙２の先端の移動距離をパルスカウントにて計測・モニターし、所定の折り型形成位置に対応する所定のタイミングで用紙２の搬送を停止して、横方向の折り型加工部３６の上型を下降させることにより、用紙２の所定位置に対して横方向の折り型形成を行う。用紙２をさらに搬送させて、所定の横方向の裁断位置に対応する所定のタイミングで用紙２の搬送を停止して、横方向の用紙裁断加工部３８の上型３８ａを下降させることにより、用紙２の所定位置に対して横方向の裁断加工を行う。横方向の用紙裁断加工部３８で用紙２の上流側の余白部２ｂ及び／又は下流側の余白部２ａを横方向に裁断することによって発生した裁断片２ａ，２ｂは、ゴミ箱５０にて回収する。なお、用紙２の加工条件によりスリット加工やミシン目加工や折り型形成等を必要としない場合には、該当する加工ユニットや加工部は動作しない。
【００５０】
次に、搬送された用紙２の上流側余白部２ｂ及び／又は下流側余白部２ａを裁断する第一実施形態に係る裁断機構及び裁断方法について、図３を参照しながら説明する。
【００５１】
図３は、本発明の第一実施形態に係る用紙加工装置１０の要部である離間距離連続可変タイプの裁断機構を説明する模式図である。
【００５２】
図３において、搬送ローラ対２６（上流側用紙搬送手段）及び搬送ローラ対２７（下流側用紙搬送手段）が、横方向の用紙裁断加工部３８（横方向の裁断手段）を挟んで、用紙搬送方向Ｆの上流側及び下流側にそれぞれ配設されている。
【００５３】
横方向の用紙裁断加工部３８は、横方向に延在する上刃（可動刃）３８ａ及び下刃（固定刃）３８ｂを有し、上刃３８ａの摺接面４０ａが下刃３８ｂの摺接面４０ｂに摺接しながら下降することにより、用紙２の上流側の余白部２ｂ及び／又は下流側の余白部２ａを横方向に裁断する。裁断された余白部の裁断片２ａをゴミ箱にて回収する。上刃３８ａ及び下刃３８ｂが互いに摺接する摺接面４０ａ，４０ｂから最大下流側離間距離Ａで離間した最下流位置に、搬送ローラ対２７の回転軸が配設されている。下流側搬送ローラ対２７は、用紙搬送方向Ｆに沿って上流側又は下流側にスライド移動可能に構成されている。
【００５４】
搬送ローラ対２７をスライド移動させるためのスライド移動機構は、例えばラック・アンド・ピニオン構造である。すなわち、ラック・アンド・ピニオン構造は、搬送ローラ対２７を収容したケーシングの側端に回転可能に設けられた円形歯車のピニオンが、平板の表面に歯切りをしたラックと歯合するように構成されている。そして、電動モーターによりピニオンを回転駆動させることにより、搬送ローラ対２７を収容したケーシングが、ピニオンに歯合しているラックに沿って、すなわち、用紙搬送方向Ｆに沿って上流側又は下流側に、スライド移動する。
【００５５】
ここで、下流側搬送ローラ対２７が用紙搬送方向Ｆに沿って上流側に最大変位距離Ｃでスライド移動したときに、上刃３８ａ及び下刃３８ｂが互いに摺接する摺接面４０ａ，４０ｂから最小下流側離間距離Ｂで離間した最上流位置２７’に、下流側搬送ローラ対の回転軸が位置している。したがって、図３に示した横方向の裁断機構では、下流側搬送ローラ対２７と横方向の用紙裁断加工部３８との間の下流側離間距離を、独立して、連続的に（アナログ的に）変化させることができる。
【００５６】
上記と同様のスライド移動機構を、上流側搬送ローラ対２６と横方向の用紙裁断加工部３８との間に設けることにより、上流側搬送ローラ対２６と横方向の用紙裁断加工部３８との間の上流側離間距離を、独立して、連続的に（アナログ的に）変化させることができる。
【００５７】
さらに、横方向の用紙裁断加工部３８を収容したケーシングの側端に回転可能に設けられた円形歯車のピニオンが、平板の表面に歯切りをしたラックと歯合するように構成し、電動モーターによってピニオンを回転駆動させることにより、横方向の用紙裁断加工部３８を収容したケーシングが、ピニオンと歯合しているラックに沿って、すなわち、用紙搬送方向Ｆに沿って上流側又は下流側に、スライド移動するように構成することもできる。その結果、下流側搬送ローラ対２７と横方向の用紙裁断加工部３８との間の下流側離間距離と、上流側搬送ローラ対２６と横方向の用紙裁断加工部３８との間の上流側離間距離とを、従属して、連続的に（アナログ的に）変化させることができる。
【００５８】
例えば、裁断すべき下流側余白部２ａの幅が最も狭いときには下流側の離間距離が最も狭い方の最小下流側離間距離Ｂとなるように、下流側搬送ローラ対２７及び／又は横方向の用紙裁断加工部３８をスライド移動させる。また、裁断すべき下流側余白部２ａの幅が最も広いときには下流側の離間距離が最も広い方の最大下流側離間距離Ａとなるように、下流側搬送ローラ対２７及び／又は横方向の用紙裁断加工部３８をスライド移動させる。したがって、下流側搬送ローラ対２７と横方向の用紙裁断加工部３８との間の下流側離間距離は、用紙搬送方向Ｆに沿って最大変位距離Ｃの範囲で連続的に変化する。また、上流側余白部２ｂに対しても、同様に上流側離間距離の調整を行うことができる。
【００５９】
このように、下流側及び／又は上流側の離間距離を最適に変化させることにより、少ない裁断回数で下流側余白部２ａ及び／又は上流側余白部２ｂの裁断を行うことができるので、用紙処理速度を高速化できる。なお、上流側搬送ローラ対２６、下流側搬送ローラ対２７、及び横方向の用紙裁断加工部３８を最適な位置に自動的に位置決めする位置決め制御は、制御手段としてのＣＰＵ１００によって行われている。
【００６０】
次に、搬送された用紙２の上流側余白部２ｂ及び／又は下流側余白部２ａを裁断する第二実施形態に係る裁断機構及び裁断方法について、図４を参照しながら説明する。
【００６１】
図４は、本発明の第二実施形態に係る用紙加工装置１０の要部である離間距離離散的可変タイプの裁断機構を説明する模式図である。
【００６２】
図４において、搬送ローラ対２６（上流側用紙搬送手段）及び搬送ローラ対２７（下流側用紙搬送手段）が、横方向の用紙裁断加工部３８（横方向の裁断手段）を挟んで、用紙搬送方向Ｆの上流側及び下流側にそれぞれ着脱可能に配設されている。
【００６３】
横方向の用紙裁断加工部３８は、横方向に延在する上刃（可動刃）３８ａ及び下刃（固定刃）３８ｂを有し、上刃３８ａの摺接面４０ａが下刃３８ｂの摺接面４０ｂに摺接しながら下降することにより、用紙２の上流側の余白部２ｂ及び／又は下流側の余白部２ａを横方向に裁断する。裁断された余白部の裁断片２ａ，２ｂをゴミ箱にて回収する。
【００６４】
装置本体１１においては、横方向の用紙裁断加工部３８よりも下流側の複数の位置において、受入凹部４７，４７’が設けられている。下流側搬送ローラ対２７を収容した一つのケーシングを、適宜の位置の受入凹部４７，４７’に装着する。
【００６５】
例えば、図４において、下流側の離間距離を最も広くしたいとき、搬送ローラ対２７の回転軸が上刃３８ａ及び下刃３８ｂの摺接面４０ａ，４０ｂから最大下流側離間距離Ａで離間した最下流側位置の受入凹部４７に対して、下流側搬送ローラ対２７を収容したケーシングを装着する。また、下流側の離間距離を最も狭くしたいとき、搬送ローラ対２７の回転軸が上刃３８ａ及び下刃３８ｂの摺接面４０ａ，４０ｂから最小下流側離間距離Ｂで離間した最上流側位置の受入凹部４７’に対して、下流側搬送ローラ対２７を収容したケーシングを装着する。したがって、下流側搬送ローラ対２７と横方向の用紙裁断加工部３８との間の下流側離間距離を、用紙搬送方向Ｆに沿って最大変位距離Ｃの範囲内で、飛び飛びで離散的に（すなわちデジタル的に）変化させることができる。
【００６６】
上記と同様の複数の受入凹部を横方向の用紙裁断加工部３８よりも上流側の装置本体１１に設けて上流側搬送ローラ対２６を収容したケーシングをいずれかの受入凹部に装着することにより、上流側搬送ローラ対２６と横方向の用紙裁断加工部３８との間の上流側離間距離を、独立して、飛び飛びで離散的に（すなわちデジタル的に）変化させることもできる。
【００６７】
さらに、横方向の用紙裁断加工部３８を挟んで上流側及び下流側の装置本体１１に対して複数の受入凹部を設けて用紙裁断加工部３８をいずれかの受入凹部に装着することにより、下流側搬送ローラ対２７と横方向の用紙裁断加工部３８との間の下流側離間距離と、上流側搬送ローラ対２６と横方向の用紙裁断加工部３８との間の上流側離間距離とを、従属して、飛び飛びで離散的に（すなわちデジタル的に）変化させることもできる。
【００６８】
このように、下流側及び／又は上流側の離間距離を最適に変化させることにより、少ない裁断回数で下流側余白部２ａ及び／又は上流側余白部２ｂの裁断を行うことができるので、用紙処理速度を高速化できる。
【００６９】
次に、搬送された用紙２の上流側余白部２ｂ及び／又は下流側余白部２ａを裁断する第三実施形態に係る裁断機構及び裁断方法について、図５を参照しながら説明する。
【００７０】
図５は、本発明の第三実施形態に係る用紙加工装置１０の要部である離間距離離散的可変タイプの別の裁断機構を説明する模式図である。
【００７１】
図５において、搬送ローラ対２６（上流側用紙搬送手段）及び搬送ローラ対２７（下流側用紙搬送手段）が、横方向の用紙裁断加工部３８（横方向の裁断手段）を挟んで、用紙搬送方向Ｆの最上流側及び最下流側にそれぞれ固定的に配設されている。なお、固設された搬送ローラ対２６，２７は、必ずしも最上流側及び最下流側である必要はない。
【００７２】
横方向の用紙裁断加工部３８は、横方向に延在する上刃（可動刃）３８ａ及び下刃（固定刃）３８ｂを有し、上刃３８ａの摺接面４０ａが下刃３８ｂの摺接面４０ｂに摺接しながら下降することにより、用紙２の上流側の余白部２ｂ及び／又は下流側の余白部２ａを横方向に裁断する。裁断された余白部２ａ，２ｂ（裁断片）をゴミ箱にて回収する。
【００７３】
装置本体１１においては、最下流側に固定的に配設された下流側搬送ローラ対２７よりも上流側の複数の位置において、受入凹部４７’が設けられている。下流側搬送ローラ対２７’を収容した一つのケーシングが、適宜の位置の受入凹部４７’に着脱可能に装着される。
【００７４】
例えば、図５において、下流側の離間距離を最も広くしたいとき、下流側搬送ローラ対２７’を収容した着脱可能なケーシングを装置本体１１から取り除き、最下流側に固定的に配設された下流側搬送ローラ対２７だけを配設する。このとき、下流側搬送ローラ対２７と横方向の用紙裁断加工部３８との間の離間距離が最大下流側離間距離Ａになっている。
【００７５】
また、下流側の離間距離を最も狭くしたいとき、最下流側に固定的に配設された下流側搬送ローラ対２７よりも最上流側位置の受入凹部４７’に対して、下流側搬送ローラ対２７’を収容した着脱可能なケーシングを装着する。このとき、下流側搬送ローラ対２７と横方向の用紙裁断加工部３８との間の下流側離間距離が最小下流側離間距離Ｂになっている。
【００７６】
したがって、下流側搬送ローラ対２７’を収容した着脱可能なケーシングを最上流側位置の受入凹部４７’に対して脱離・装着することにより、下流側搬送ローラ対２７，２７’と横方向の用紙裁断加工部３８との間の下流側離間距離を、用紙搬送方向Ｆに沿って最大変位距離Ｃの範囲内で、飛び飛びで離散的に（すなわちデジタル的に）変化させることができる。
【００７７】
上記と同様に、上流側の搬送ローラ対を収容した着脱可能なケーシングを、複数の下流側位置の受入凹部のうちのいずれかに対して脱離・装着することにより、上流側搬送ローラ対２６と横方向の用紙裁断加工部３８との間の上流側離間距離を、用紙搬送方向Ｆに沿って所定の距離で、飛び飛びで離散的に（すなわちデジタル的に）変化させることができる。
【００７８】
図３乃至図５を参照しながら説明した第一実施形態乃至第三実施形態において、上流側搬送ローラ対２６と横方向の用紙裁断加工部３８との間の上流側離間距離及び／又は下流側搬送ローラ対２７，２７’と横方向の用紙裁断加工部３８との間の下流側離間距離をそれぞれ検出するための下流側離間距離検出手段（不図示）及び／又は上流側離間距離検出手段（不図示）を設けることができる。そして、当該離間距離検出手段によって検出された検出結果に応じて、上流側余白部２ｂ及び／又は上流側余白部２ａをそれぞれ裁断する回数が最小になるように制御手段としてのＣＰＵ１００が上流側離間距離及び／又は下流側離間距離を自動的に調整したり、ユーザにより任意に設定された裁断回数に応じて、制御手段としてのＣＰＵ１００が上流側離間距離及び／又は下流側離間距離を自動的に調整したりすることができる。
【００７９】
次に、搬送された用紙２の上流側余白部２ｂ及び／又は下流側余白部２ａを裁断する他の実施形態に係る裁断機構及び裁断方法について、図６を参照しながら説明する。
【００８０】
図６は、本発明の第四実施形態に係る用紙加工装置１０の裁断プロセスを説明する模式図である。
【００８１】
第一実施形態乃至第三実施形態として説明した裁断機構及び裁断方法は、下流側搬送ローラ対２７と横方向の用紙裁断加工部３８との間の下流側離間距離、及び／又は、上流側搬送ローラ対２６と横方向の用紙裁断加工部３８との間の上流側離間距離を適宜に変化させることにより、従来のような細分化処理を行うことなく、少ない裁断回数で下流側余白部２ａ及び／又は上流側余白部２ｂの裁断を行うものである。
【００８２】
これに対して、本発明の第四実施形態では、横方向の用紙裁断加工部３８で用紙２を裁断した後も横方向の用紙裁断加工部３８の閉じた状態を保持して用紙搬送路Ｗを遮断した上で、上流側搬送ローラ対２６及び／又は下流側搬送ローラ対２７が、裁断された用紙２の裁断片２ａ，２ｂを横方向の用紙裁断加工部３８に向けて搬送することを特徴としている。すなわち、当該第四実施形態では、制御手段としてのＣＰＵ１００が、用紙裁断加工部３８による用紙搬送方向Ｆの遮断と、横方向の用紙裁断加工部３８の方向への裁断片２ａ，２ｂの搬送と、を制御している。したがって、上流側搬送ローラ対２６及び／又は下流側搬送ローラ対２７の配置構成を変更することなく、幅狭から幅広までの様々な幅寸法を持った余白部２ａ，２ｂの裁断に対応することができる。
【００８３】
図６において、搬送ローラ対２６（上流側用紙搬送手段）及び搬送ローラ対２７（下流側用紙搬送手段）が、横方向の用紙裁断加工部３８（横方向の裁断手段）を挟んで、用紙搬送方向Ｆの上流側及び下流側にそれぞれ配設されている。図６に例示した実施形態では、上流側搬送ローラ対２６及び／又は下流側搬送ローラ対２７は、装置本体１１に対して固定的に配設されているが、上述したようなスライド移動可能な構成等にすることもできる。
【００８４】
横方向の用紙裁断加工部３８は、横方向に延在する上刃（可動刃）３８ａ及び下刃（固定刃）３８ｂを有し、上刃３８ａの摺接面４０ａが下刃３８ｂの摺接面４０ｂに摺接しながら下降することにより、用紙２の上流側の余白部２ｂ及び／又は下流側の余白部２ａを横方向に裁断する。ここで、上刃３８ａの刃先は、下刃３８ｂの摺接面４０ｂに摺接する摺接面４０ａと、該摺接面４０ａの反対側の面である非摺接面４２ａと、非摺接面４２ａから摺接面４０ａに向けて先細になるように傾斜した傾斜面４１ａと、を有する先細の楔形状をしている。同様に、下刃３８ｂの刃先は、上刃３８ａの摺接面４０ａに摺接する摺接面４０ｂと、該摺接面４０ｂの反対側の面である非摺接面４２ｂと、非摺接面４２ｂから該摺接面４０ｂに向けて先細になるように傾斜した傾斜面４１ｂと、を有する先細の楔形状をしている。図６に示した実施形態では、上刃３８ａの傾斜面４１ａが下流側の下向きに面し、下刃３８ｂの傾斜面４１ｂが上流側の上向きに面するように構成されている。
【００８５】
図６の（Ａ）において、上刃３８ａが上昇した開位置にあって用紙搬送路Ｗが開いているとともに、上流側搬送ローラ対２６及び下流側搬送ローラ対２７のそれぞれが、矢印で示した同じ方向（正方向）に回転することにより、用紙２を用紙搬送方向Ｆに搬送する。用紙搬送方向Ｆに搬送された用紙２は、横方向の用紙裁断加工部３８を挟んで、上流側搬送ローラ対２６及び下流側搬送ローラ対２７によって保持されている。なお、搬送ローラ対２６，２７による用紙２の余白部２ａ，２ｂの保持を容易にするために、搬送ローラ対２６，２７のそれぞれを横方向の用紙裁断加工部３８に近い位置に配置することが好ましい。
【００８６】
図６の（Ｂ）において、上刃３８ａが下降することにより、上刃３８ａの刃先と下刃３８ｂの刃先との間で用紙２を横方向に裁断する。このとき、上流側搬送ローラ対２６及び下流側搬送ローラ対２７の回転が停止している。そして、上刃３８ａが下降した閉位置に保持されているので、用紙搬送路Ｗが遮断されている。このとき、下流側に位置する上刃３８ａの傾斜面４１ａが、裁断された下流側余白部２ａ（裁断片）の上流側の端部を押し下げるように作用するので、該下流側余白部２ａ（裁断片）の上流側の端部が垂れ下がる。
【００８７】
図６の（Ｃ）において、上流側搬送ローラ対２６の回転は停止したままであるが、下流側搬送ローラ対２７を、図６の（Ａ）で示した回転方向と反対方向（逆方向）に回転させる。その結果、裁断された下流側余白部２ａ（裁断片）を、用紙搬送方向Ｆの反対方向に（横方向の用紙裁断加工部３８に向けて）搬送する。図６の（Ｂ）に示したように下流側余白部２ａ（裁断片）の上流側の端部がすでに垂れ下がっていることに加えて、片持ち支持された下流側余白部２ａ（裁断片）に作用する自重の影響が顕著になる。その結果、下流側余白部２ａ（裁断片）の上流側の端部が、より垂れ下がるので、下流側余白部２ａ（裁断片）が下方のゴミ箱５０に向けてスムーズに搬送・回収される。
【００８８】
下流側搬送ローラ対２７で片持ち支持されていた下流側余白部２ａ（裁断片）が、下流側搬送ローラ対２７から離れることにより、下流側余白部２ａ（裁断片）がゴミ箱５０の中に落下する。したがって、下流側余白部２ａ（裁断片）の回収が容易になる。
【００８９】
そのあと、図６の（Ａ）と同様に、上流側搬送ローラ対２６及び下流側搬送ローラ対２７のそれぞれが矢印で示した同じ方向（正方向）に回転することにより用紙２を用紙搬送方向Ｆに搬送することを、再び開始する。
【００９０】
したがって、本発明の第四実施形態によれば、余白部２ａ，２ｂの幅寸法に応じての搬送ローラ対２６，２７の配置構成を変更することなく、様々な幅寸法を持った余白部２ａ，２ｂの裁断を高速で行うことができる。また、多数回の用紙裁断を行う細分化処理と比較して裁断回数が激減するので、上刃３８ａ，３８ｂの耐久性を大幅に向上させることができる。
【００９１】
図６に示した実施形態は、下流側余白部２ａの裁断に関して説明しているが、上流側余白部２ｂの裁断にも適用することができる。
【００９２】
上刃３８ａを下降した閉位置に保持することにより用紙搬送路Ｗを遮断した上で、裁断された上流側余白部２ｂ（裁断片）を、用紙搬送方向Ｆに（横方向の用紙裁断加工部３８に向けて）搬送することにより、片持ち支持された上流側余白部２ｂ（裁断片）が、行き場を失い、また自重の影響が顕著になる。その結果、片持ち支持された上流側余白部２ｂ（裁断片）が落下せざるを得ないので、上流側余白部２ｂ（裁断片）をゴミ箱５０で回収することができる。
【００９３】
このとき、上刃３８ａの傾斜面４１ａが上流側の下向きに面し、下刃３８ｂの傾斜面４１ｂが下流側の上向きに面するように横方向の用紙裁断加工部３８を構成しておけば、上流側余白部２ｂ（裁断片）をゴミ箱５０に向けてスムーズに搬送・回収することができる。
【００９４】
また、上流側余白部２ｂ（裁断片）をゴミ箱５０に向けて搬送・回収するための第四実施形態の変形例では、図６を参照しながら説明した下流側余白部２ａに関する搬送・回収プロセスを利用することができる。すなわち、図６の（Ｄ）のように裁断された下流側余白部２ａをゴミ箱５０で回収した後、用紙２を所定の位置まで用紙搬送方向Ｆに搬送し、上刃３８ａを下降させることにより、用紙２の上流側余白部２ｂを裁断する。上流側余白部２ｂの裁断後に、上刃３８ａを上昇させて開位置にすることで用紙搬送路Ｗが開放される。上流側搬送ローラ対２６が裁断済みの上流側余白部２ｂを挟持しているので、上流側搬送ローラ対２６が正方向に回転することにより、上流側余白部２ｂを用紙搬送方向Ｆに搬送する。上流側余白部２ｂの上流側端部が用紙裁断加工部３８の摺接面４０ａ，４０ｂを通過するまで、上流側余白部２ｂを用紙搬送方向Ｆに搬送する。
【００９５】
下流側搬送ローラ対２７は、用紙裁断加工部３８の摺接面４０ａ，４０ｂを通過した上流側余白部２ｂの下流側部分を挟持している。この状態で上刃３８ａを下降させることにより、用紙搬送路Ｗが遮断される。このとき、下流側に位置する上刃３８ａの傾斜面４１ａが、上流側余白部２ｂの上流側の端部を押し下げるように作用するので、該上流側余白部２ｂの上流側の端部が垂れ下がる。そして、図６の（Ｃ）と同様に、下流側搬送ローラ対２７の回転方向を反転させて、上流側余白部２ｂを、用紙搬送方向Ｆの反対方向に（横方向の用紙裁断加工部３８に向けて）搬送する。その結果、上流側余白部２ｂ（裁断片）の上流側の端部がさらに垂れ下がって、上流側余白部２ｂが下方のゴミ箱５０に向けてスムーズに搬送・回収される。
【００９６】
なお、上流側搬送ローラ対２６及び下流側搬送ローラ対２７の回転動作（回転方向の切換動作、回転や停止の動作）、上刃３８ａの開閉動作（横方向の用紙裁断加工部３８の裁断動作）は、制御手段としてのＣＰＵ１００によって制御されている。
【００９７】
用紙裁断加工部３８による用紙搬送方向Ｆの遮断と、横方向の用紙裁断加工部３８の方向への裁断片２ａ，２ｂの搬送と、を制御するという図６に例示した第四実施形態に係る用紙裁断制御は、それ単独で実施することもできるし、図３乃至５に示した第一乃至第三の実施形態の中に組み入れて実施することもできる。
【００９８】
なお、上記の第四実施形態に係る用紙裁断制御を第一実施形態乃至第三実施形態の中に組み入れて実施することにより、上流側余白部２ｂの幅及び／又は下流側余白部２ａの幅が、上流側搬送ローラ対２６と横方向の用紙裁断加工部３８との間の上流側離間距離及び／又は下流側搬送ローラ対２７，２７’と横方向の用紙裁断加工部３８との間の下流側離間距離よりも広い場合であっても、上流側余白部２ｂ及び／又は下流側余白部２ａを途中で裁断することなくそのままの形でゴミ箱５０に回収することができる。
【００９９】
逆に、上流側余白部２ｂの幅及び／又は下流側余白部２ａの幅が、上流側搬送ローラ対２６と横方向の用紙裁断加工部３８との間の上流側離間距離及び／又は下流側搬送ローラ対２７，２７’と横方向の用紙裁断加工部３８との間の下流側離間距離よりも狭い場合には、上記の第四実施形態に係る用紙裁断制御を第一実施形態乃至第三実施形態の中に組み入れることを要することなく第一実施形態乃至第三実施形態に基づいて、上流側余白部２ｂ及び／又は下流側余白部２ａを途中で裁断することなくそのままの形でゴミ箱５０に回収することができる。
【符号の説明】
【０１００】
２  用紙
２ａ  下流側余白部（裁断片）
２ｂ  上流側余白部（裁断片）
１０  用紙加工装置
１１  装置本体
１２  給紙トレイ
１４  排紙トレイ
２０  給紙ローラ
２１  搬送ローラ対
２２  搬送ローラ対
２３  搬送ローラ対
２４  搬送ローラ対
２５  搬送ローラ対
２６  搬送ローラ対（上流側用紙搬送手段）
２７  搬送ローラ対（下流側用紙搬送手段）
２７’  搬送ローラ対
２８  ストッパ
２９  ＣＣＤセンサ
３０  加工ユニット（第一のスリット加工ユニット）
３２  加工ユニット（第二のスリット加工ユニット）
３４  加工ユニット（縦方向のミシン目加工ユニット）
３６  横折り型加工部
３８  横方向の用紙裁断部（横方向の裁断手段）
３８ａ  上刃
３８ｂ  下刃
４０ａ  摺接面
４０ｂ  摺接面
４１ａ  傾斜面
４１ｂ  傾斜面
４２ａ  非摺接面
４２ｂ  非摺接面
４７  受入凹部
４７’  受入凹部
５０  ゴミ箱
１００  ＣＰＵ（制御手段）
１０２  操作パネル
１０４  ＲＯＭ
１０６  ＲＡＭ
１０８  メインモーター
１１０  カッターモーター
１１２  給紙モーター
１１４  スリッターモーター
１１８  折り型モーター
１２０  左右移動モーター
１２２  前後移動モーター
１２６  カッター基準位置スイッチ
１２８  折り型基準位置センサ
１３０  左右移動基準位置センサ
１３２  前後移動基準位置センサ
Ｓ１  透過センサ
Ｓ２  透過センサ
Ｓ３  透過センサ
Ｓ４  透過センサ
Ａ  最下流位置での下流側離間距離（最大下流側離間距離）
Ｂ  最上流位置での下流側離間距離（最小下流側離間距離）
Ｃ  最大変位距離
Ｆ  用紙搬送方向
Ｗ  用紙搬送路
【図１】
0005485005.tif 000002
【図２】
0005485005.tif 000003
【図３】
0005485005.tif 000004
【図４】
0005485005.tif 000005
【図５】
0005485005.tif 000006
【図６】
0005485005.tif 000007